(57)【要約】【課題】  天井を構成する為に複数枚のパネルを配列した場合のパネル接合構造であって、天井パネルの接合部に隙間を発生することなく、しかも接合部分に大きな荷重が作用しても破損することのない天井パネルの接合構造の提供。【解決手段】  天井パネル１は芯材２の両面に表面材３，３を貼着した四角形の板状体を成し、一方側端面には両先端から領域Ｍを除いて凸部４を沿設し、同じく他方側端面には領域Ｍを除いて凹部５を沿設している。そして領域Ｍの側端面には溝６，６を設けて構成され、隣合うパネルの一方の凹部５に他方の凸部４を嵌合し、又領域Ｍに形成している溝６，６にはスプライン繋ぎ材８を嵌合して連結し、該スプライン繋ぎ材８を受金具１０にネジ止めして取付ける。【選択図】    図３ 
2005105574.tif 000002
【特許請求の範囲】
【請求項１】
天井又は壁面を構成する為のパネルにおいて、芯材の両面に表面材を貼着した四角形の板状体を成し、一方側端面には両先端から領域Ｍを除いて凸部を沿設し、同じく他方側端面には領域Ｍを除いて凹部を沿設し、上記領域Ｍの側端面には溝を設けたことを特徴とする天井等のパネル。
【請求項２】
上記芯材として断熱性に優れた発泡ポリスチレンフォームを使用し、表面材としては鋼板を用いた請求項１記載の天井等のパネル。
【請求項３】
天井又は壁面を構成する為に複数枚のパネルを配列した場合のパネル接合構造において、該パネルは芯材の両面に表面材を貼着した四角形の板状体を成し、一方側端面には両先端から領域Ｍを除いて凸部を沿設し、同じく他方側端面には領域Ｍを除いて凹部を沿設し、上記領域Ｍの側端面には溝を設けて構成され、隣り合うパネルの一方の凹部に他方の凸部を嵌合し、又領域Ｍに形成している溝にはスプライン繋ぎ材を嵌合して連結し、該スプライン繋ぎ材を金具にネジ止めして取付けたことを特徴とする天井等のパネル接合構造。
【請求項４】
天井を構成する場合に、受材に係止した受金具に上記スプライン繋ぎ材をネジ止めした請求項３記載の天井等のパネル接合構造。
【発明の詳細な説明】
【技術分野】
【０００１】
本発明は、天井を構成する天井パネル及び該パネル間の接合構造、並びに壁面を構成する壁面パネル及び該パネル間の接合構造に関するものである。
【背景技術】
【０００２】
天井には天井パネルが配列されて天井を構成しているが、該天井パネルの接合構造は色々ある。例えば、図５に示すように隣り合う天井パネル(イ)、(イ)はエ型断面の繋ぎ材(ロ)を介して連結され、該繋ぎ材(ロ)の空間(ハ)、(ハ)に天井パネル(イ)、(イ)の側端部(ニ)、(ニ)が嵌って支持される。しかし、上記エ型断面の繋ぎ材(ロ)は天井面に表面化して外観上好ましくなく、又天井を断熱構造とする場合には、上記繋ぎ材(ロ)を介しての天井パネル(イ)、(イ)の連結には問題がある。
【０００３】
すなわち、繋ぎ材(ロ)の空間(ハ)、(ハ)に嵌る側端部(ニ)、(ニ)には隙間が発生し、該隙間から熱が逃げてしまう。そこで、断熱構造とする天井パネルの接合では、天井パネルの側端に溝を形成すると共に該溝にスプライン繋ぎ材を隙間なく嵌合して構成している。そして、該スプライン繋ぎ材の材質も断熱性の高い樹脂製とすることで、天井の断熱性を向上することが出来る。
【０００４】
図６は従来の天井裏側外観を示しているが、所定の間隔をおいて配置されている受材(ホ)は吊ボルトにて吊設され、そして受材(ホ)には受金具(ヘ)、(ヘ)・・が取付けられ、天井パネル(イ)、(イ)・・は上記受金具(ヘ)、(ヘ)・・にネジ止めされている。図７は天井パネル(イ)、(イ)の接合部を表している斜視図であり、一方の天井パネル側端に形成した溝(ト)にはスプライン繋ぎ材(チ)が嵌合し、他方の天井パネル(イ)はスプライン繋ぎ材(チ)から分離された状態となっているが、隣り合う天井パネル(イ)、(イ)はその側端溝(ト)、(ト)にスプライン繋ぎ材(チ)が嵌合することで接合する。
【０００５】
そして、受材(ホ)に係止した受金具(ヘ)から下方へ延びるネジ(リ)はスプライン繋ぎ材(チ)を固定している。すなわち、スプライン繋ぎ材(チ)をネジ止めすることで、側端溝(ト)、(ト)にスプライン繋ぎ材(チ)が嵌ることにより天井パネル(イ)、(イ)を吊設することが出来る。
【０００６】
このように、天井パネル(イ)、(イ)・・はスプライン繋ぎ材(チ)、(チ)・・を介して連結されるが、該天井裏に上がって何らかの作業する場合、同図に示す接合構造ではその強度が弱い。該スプライン繋ぎ材(チ)を側端溝(ト)、(ト)に嵌合することで、接合される天井パネル間に段差を発生することはないが、人が載るなどして接合部分に大きな荷重が作用した際には、該スプライン繋ぎ材(チ)では耐えることが出来ず、溝付近がせん断破壊してしまう虞がある。
【特許文献１】特開平１１−１９３５９７号に係る「パネルの天井吊り構造」
【特許文献２】特開平１０−１０２６６９号に係る「クリーンルーム用天井構造」
【発明の開示】
【発明が解決しようとする課題】
【０００７】
このように、天井パネルを側端に沿設した溝にスプライン繋ぎ材を嵌合して接合する構造では、その強度において問題がある。本発明が解決しようとする課題はこの問題点であり、天井パネルの接合部に隙間を発生することなく、しかも接合部分に大きな荷重が作用しても破損することのない天井パネルの接合構造を提供する。一方において、同じ接合構造を壁面パネルにも適用することで構成される壁面パネルの接合構造を提供する。
【課題を解決するための手段】
【０００８】
本発明に係る天井パネル及び壁面パネルは、一方側端面に凸部を沿設し、他方側端面には凹部を沿設している。従って、天井パネル及び壁面パネルが配列する場合には、一方のパネル側端凹部に他方のパネル側端凸部が嵌合する接合構造となる。すなわち、天井パネル及び壁面パネルは凹部と凸部の嵌合形態によって互いに連結され、従来のスプライン繋ぎ材を側端溝に嵌合する接合構造に比較してその強度は高くなる。
【０００９】
しかし、受材に係止した受金具によって天井パネルを吊設し、又は壁面パネルを固定しなくてはならない為に、パネル両端部両側には溝が設けられ、該溝にはスプライン繋ぎ材が嵌合する。そして、該スプライン繋ぎ材をネジ止めして受金具に固定してパネルが取付けられる。ここで、スプライン繋ぎ材は一般に樹脂材が用いられるが、アルミ等の金属から成るスプライン繋ぎ材を使用することも可能である。
【発明の効果】
【００１０】
本発明はパネル側端面に形成している凹部と凸部が互いに嵌合する接合構造であり、接合部分での強度は従来のスプライン繋ぎ材を嵌合する接合構造に比較して高くなる。すなわち、側端面に形成した溝に別部材のスプライン繋ぎ材を嵌合する場合より、側端面から突出した凸部はパネルと一体化していることで接合部のせん断強度は必然的に高くなる。
【００１１】
そして、パネルを固定する部分はスプライン繋ぎ材を用いてネジ止めされている為に、天井パネルであれは受材に係止した受金具を介して安定して取付けられる。パネル側端に凹部と凸部を形成して互いに嵌合することで、接合部での強度が向上する為にその分だけパネル厚さを薄く出来、経済的な効果を得ることが出来る。パネル厚さの薄肉化は、結果的に軽くなって扱い易くなり、施工性も向上する。
【実施例】
【００１２】
図１は本発明に係る天井パネルの実施例で、(ａ)は平面図、(ｂ)は(ａ)におけるＡ−Ａ断面図、(ｃ)は(ａ)におけるＢ−Ｂ断面図を各々示している。該天井パネル１は概略長方形の板材であって、発泡ポリスチレンフォームを芯材とし、両表面には鋼板が表面材として貼着された複合パネルとして構成している。
【００１３】
そして、天井パネル１の一方側(同図の下側)には凸部４が沿設され、他方側(同図の上側)には凹部５が沿設されている。ただし、天井パネル１の全長にわたって上記凸部４及び凹部５が沿設されるのではなく、両端部の長さＭを除いた領域に沿設されている。この両端部の長さＭの領域では溝６，６・・が両側に形成されている。
【００１４】
ここで、上記凸部４の厚さ寸法は凹部５の幅寸法とほぼ同じ大きさと成っていて、該天井パネル１，１・・を配列する際には、隣り合う一方の天井パネル１の凸部は他の天井パネル１の凹部に嵌合して連結することが出来る。そして、両端部の溝６にはスプライン繋ぎ材が嵌合して連結される。すなわち、１本のスプライン繋ぎ材にて左右・前後の４枚の天井パネル１，１・・が連結されることになる。
【００１５】
図２は上記天井パネル１の側端部拡大図であって、(ａ)は凸部側を、(ｂ)は凹部側を示している。芯材２の両面に貼着されている金属製の表面材３，３は、側端面７のコーナーに形成した切欠き部に折れ曲がっている。そして、側端面７から突出した凸部４は隣り合う他の天井パネル１の側端面７に沿設される凹部５に嵌合することで天井パネル１，１・・は接合部に段差を生じないことは勿論のこと、強度の高い接合構造が得られる。又、両端からＭの領域に形成される溝６にはスプライン繋ぎ材が嵌合して隣り合う天井パネル１，１・・が連結されることになる。
【００１６】
ここで、スプライン繋ぎ材とは溝に嵌る厚さを持つ板状体であって、一般には断熱性に優れた樹脂材が用いられる。天井形態としては色々あって限定しないが、前記図６に示したように受材を一定間隔で吊設し、この受材に係止した受金具によって天井パネル１，１・・を吊設する場合、溝に嵌合しているスプライン繋ぎ材が受金具にネジ止めされる。すなわち、受材に係止した受金具の部分はスプライン繋ぎ材が設けられてネジ止めされ、受材間は凹部と凸部の嵌合にて互いに接合されている。
【００１７】
図３は前記図７に相当する図であり、溝６，６・・に嵌合するスプライン繋ぎ材８をネジ止めして隣り合う４枚の天井パネル１ａ，１ｂ，１ｃ，１ｄを吊設する構造を示す部分拡大図である。同図では天井パネル１ｂ，１ｃは連結されていない状態にあるが、受材９に係止している受金具１０をスプライン繋ぎ材８にネジ１１を締付けて固定することで、該スプライン繋ぎ材８が嵌合する前後・左右４枚の天井パネル１ａ，１ｂ，１ｃ，１ｄのコーナー部分が支持されることになる。そして、その他の部分では凹部５に凸部４が嵌合することにより隣り合う天井パネル１ａと１ｂ、及び天井パネル１ｃと１ｄは接合・連結される。
【００１８】
以上の実施例は天井パネル１の接合構造であるが、壁面パネルの接合構造の場合にも同じように構成することが出来る。図４は壁面を表している実施例であり、複数枚の壁面パネル１２，１２・・が上下に配列され、横桟１３に固定されているＬ型金具１４にスプライン繋ぎ材８がネジ止めされている。
【図面の簡単な説明】
【００１９】
【図１】天井パネルを示す実施例。
【図２】天井パネルの側端部詳細図。
【図３】凹凸とスプライン繋ぎ材の組合せによる接合構造。
【図４】壁面を構成した具体例。
【図５】従来の天井パネル接合構造。
【図６】天井裏側の外観図。
【図７】スプライン繋ぎ材を使用した従来の接合構造。
【符号の説明】
【００２０】
１  天井パネル
２  芯材
３  表面材
４  凸部
５  凹部
６  溝
７  側端面
８  スプライン繋ぎ材
９  受材
10  受金具
11  ネジ
12  壁面パネル
13  横桟
14  Ｌ型金具
【図１】
2005105574.tif 000003
【図２】
2005105574.tif 000004
【図３】
2005105574.tif 000005
【図４】
2005105574.tif 000006
【図５】
2005105574.tif 000007
【図６】
2005105574.tif 000008
【図７】
2005105574.tif 000009